(57)【要約】      （修正有）【課題】園芸用支柱、建設用杭等に用いられる棒状部材を、その頭部を変形・破壊させることなく容易に地面に打ち込むことができる打ち込み具を提供する。【解決手段】支柱１を打ち込むための打ち込み具４であって、支柱１の頭部に嵌合する凹部６を備えた当接部材５と、当接部材５に連結され、支柱１の所定長さの部分を収容し保持する、管状の保持部材７とを備え、当接部材５の凹部６における、頭部との接触面３ａ、３ｂは、頭部の表面形状に対応して形成されている。【選択図】図３
0003131758.tif 000002
【実用新案登録請求の範囲】
【請求項１】
棒状部材を地中に打ち込むための打ち込み具であって、
前記棒状部材の頭部に嵌合する凹部を備えた当接部材と、
前記当接部材に連結され、前記棒状部材の所定長さの部分を収容し保持する、管状の保持部材とを備え、
前記当接部材の前記凹部における、前記頭部との接触面は、前記頭部の表面形状に対応して形成されていることを特徴とする、打ち込み具。
【請求項２】
請求項１に記載の打ち込み具であって、
前記接触面が平坦でないことを特徴とする、打ち込み具。
【請求項３】
請求項２に記載の打ち込み具であって、
前記接触面が略円錐形状であることを特徴とする、打ち込み具。
【請求項４】
請求項１乃至３のいずれか１項に記載の打ち込み具であって、前記接触面の形状が、前記棒状部材の前記頭部の表面形状に応じて変更可能であることを特徴とする、打ち込み具。
【請求項５】
請求項１乃至４のいずれか１項に記載の打ち込み具であって、前記保持部材には、前記保持部材を安定して把持するための滑り止め把持部が設けられていることを特徴とする、打ち込み具。
【考案の詳細な説明】
【技術分野】
【０００１】
本考案は、棒状部材打ち込み具に係り、特に、園芸用支柱、建設用杭等の棒状部材を、その頭部を変形・破壊させることなく容易に地面に打ち込むことができる打ち込み具に関する。
【背景技術】
【０００２】
従来から、所定の長さの棒状部材が、園芸用支柱や建設用杭として用いられている。このような棒状部材を地中に打ち込む手段としては、従来、ハンマー等で棒状部材の頭部を直接叩くか、またはハンマーと棒状部材頭部との間に押当て部材を介在させて間接的に打撃力を加える方法がある。さらに、ハンマーと押当て部材とを一体化した工具により棒状部材を叩く方法（例えば、特開平２００１−４０６６４号を参照）や、棒状部材の頭部を収容する凹部を備えた工具を棒状部材の頭部に被せて該工具を上下動させ、凹部における、棒状部材頭部との接触面により打撃力を加える方法（例えば、特開平１１−２９３６７３号を参照）等がある。
【０００３】
一方、上記棒状部材のうち、特に園芸用支柱は、通常、鉄などの金属製パイプに樹脂をコーティングさせてなる本体部分を備え、本体部分の長手方向両端部に、内部保護や装飾等の目的でキャップが取り付けられ、このキャップが支柱の頭部を形成している。このような園芸用支柱のキャップは、その先端が必ずしも平坦ではなく、例えば、ドーム形状や、円錐形状のものがある。このように支柱頭部の先端が平坦ではない場合、支柱頭部にハンマーで直接打撃力を加えると、打撃力の大きさによっては、支柱頭部の先端が潰れたり、割れたりするおそれがある。一方、従来の打ち込み用工具において、支柱頭部に当接する面は平坦面、または半球状や半楕円球形状の凹曲面を形成しているが、これらは支柱頭部の表面形状に対応させたものではなく、やはり打撃力の大きさ等によって、支柱頭部の変形・破損の問題を避けることは難しかった。
さらに、従来のハンマーを用いる方法では、作業者が誤って自分の手を叩くなどしてしまう問題があった。
【考案の開示】
【考案が解決しようとする課題】
【０００４】
本考案の目的は、園芸用支柱、建設用杭等に用いられる棒状部材を、その頭部を変形・破損することなく、容易に地面に打ち込むことができる打ち込み具を提供することである。
【課題を解決するための手段】
【０００５】
請求項１の考案によれば、棒状部材を打ち込むための打ち込み具であって、前記棒状部材の頭部に嵌合する凹部を備えた当接部材と、前記当接部材に連結され、前記棒状部材の所定長さの部分を収容し保持する、管状の保持部材とを備える打ち込み具が提供される。前記当接部材の前記凹部における、前記棒状部材の前記頭部との接触面は、前記頭部の表面形状に対応して形成されている。この構成により、打ち込み時の打撃力によって、棒状部材の頭部が変形したり破損したりすることが防止される。また、当接部材の接触面が、棒状部材の頭部との衝突により変形・破損するおそれも少ない。さらに、当接部材の接触面と棒状部材頭部とが面接触するため、打撃力を、棒状部材の軸方向に効率よく安定して作用させることができる。さらに、打ち込み具自体によって打撃力を加えることができるため、ハンマー等を使用する必要がなく、容易に打ち込みを行うことができる。
【０００６】
請求項２の考案によれば、請求項１の考案の特徴に加え、前記接触面が平坦でないことを特徴とする、打ち込み具が提供される。これにより棒状部材頭部の表面形状が平坦でない場合の棒状部材頭部の変形・破損が防止される。
【０００７】
請求項３の考案によれば、請求項２の考案の特徴に加え、前記接触面が略円錐形状であることを特徴とする、打ち込み具が提供される。これにより、特に円錐形状の頭部を有する棒状部材を打ち込む場合の、棒状部材頭部の変形・破損が防止される。
【０００８】
請求項４の考案によれば、請求項１乃至３のいずれか１項の考案の特徴に加え、前記接触面の形状が、前記棒状部材の前記頭部の表面形状に応じて変更可能であることを特徴とする、打ち込み具が提供される。これにより、１つの保持部材に対して、接触面の形状が異なる複数の当接部材を用意し、打ち込まれる棒状部材頭部の形状に応じて、複数の当接部材を使い分けることができる。
【０００９】
請求項５の考案によれば、請求項１乃至４のいずれか１項の考案の特徴に加え、前記保持部材には、前記保持部材を安定して把持するための滑り止め把持部が設けられていることを特徴とする、打ち込み具が提供される。これにより、打ち込み時の衝撃によって使用者が手を滑らせることなく、安定して打ち込み作業をすることができる。
【考案の効果】
【００１０】
本考案によれば、園芸用支柱、建設用杭等に用いられる棒状部材を、その頭部を変形・破損することなく、容易に地面に打ち込むことができる打ち込み具を提供することができる。
【考案を実施するための最良の形態】
【００１１】
以下、図面を参照して本考案を説明する。
［全体概要］
本考案の棒状部材打ち込み具は、例えば、園芸用支柱、建設用杭等に用いられる棒状部材の頭部に打撃力を加えて、該棒状部材を地中等に打ち込むために用いられる。図１は、本考案の打ち込み具を用いて打ち込まれる棒状部材の一例を示し、本実施形態では、園芸用支柱（以下、単に支柱と称する）である。園芸用支柱１は、通常、金属製パイプに樹脂をコーティングした本体２の長手方向両端に、内部保護や装飾等の目的でキャップ３が設けられている。図示の例では、略円錐形状の先端を有するキャップ３が示されており、より具体的には、キャップ３は、先端側の円錐面３ａとこれに連なる円筒面３ｂとからなる表面形状を有している。このようなキャップ３の先端の円錐形状は、支柱１を地面に差し込み易くするため、園芸用支柱のキャップが一般的に有する形状である。支柱１が地面に差し込まれる向きによって、支柱両端に取り付けられたキャップ３のいずれか一方が支柱１の頭部を構成する。尚、本体２には、複数の突起２ａが形成されている。これら突起２ａは、支柱１の美観を向上させたり、植物のつるを巻き付け易くしたりするために設けられているものである。
【００１２】
図２は、本考案の第１の実施形態による打ち込み具の縦断面図である。以下に詳細に述べるように、本実施形態の打ち込み具４は、略円筒形状の外形を有しており、当接部材５と、この当接部材５に連結された保持部材７とを備えている。当接部材５は、上記したような棒状部材、即ち支柱１の頭部に嵌合する凹部６を備えている。保持部材７は、管状であり、支柱１の所定長さの部分を収容し保持する中空部７ａを有している。本考案の特徴のひとつは、当接部材５の凹部６における、支柱１の頭部との接触面６ａ、６ｂが、支柱１の頭部の表面形状に対応して形成されている点にある。
【００１３】
本考案の理解を容易にするため、先ず、本実施形態の打ち込み具４の使用方法の一例を説明する。使用者は、先ず、支柱１の一端側（頭部側）を保持部材７の中空部７ａを通じて打ち込み具４内に挿入し、支柱１の他端を地面に配置して、支柱１を直立させる。このとき、図３に示すように、支柱頭部の円錐面３ａは、当接部材５の凹部６の接触面６ａに接触する。次に、使用者は、保持部材を片手または両手で把持して、打ち込み具４を支柱１に対して上下動させる（図４参照）。これにより、支柱１の頭部が、当接部材５の凹部６の接触面６ａにより打撃され、支柱１が地中に打ち込まれる。
【００１４】
以下、本実施形態の打ち込み具に用いられる各部材、及び本考案の打ち込み具の他の実施形態について詳細に説明する。
［当接部材］
図２及び図３に示されるように、本考案に用いられる当接部材５は、後述する保持部材７に連結される側の端部に、支柱頭部に嵌合する凹部６を備えている。この凹部６における、支柱頭部と接触する接触面６ａ、６ｂは、支柱１の頭部の表面形状に対応して形成されている。即ち、打ち込み具先端側の接触面６ａは、支柱頭部の円錐面３ａに対応する略円錐形状を有しており、接触面６ｂは、円筒面３ｂに対応する略円筒形状を有している。さらに、本実施形態では、凹部６における、支柱頭部の円錐形の頂点に対応する位置に、逃がし部６ｃを設けている。この逃がし部６ｃは、支柱を打ち込み具内に挿入したとき、支柱頭部の頂点を収容し、これと接触しない深さに形成されている。これにより、打撃力によって最も傷つき易い支柱頭部の頂点を保護することができるので、打ち込み時の支柱頭部の変形・破損がより効果的に防止される。また、凹部６の内面が、支柱頭部の頂点との衝突によって傷つくことを防止することができる。
【００１５】
この構成により、支柱１を打ち込み具４内に挿入して直立させると、支柱頭部の頂点が逃がし部６ｃに収容され、円錐面３ａの残りの斜面が接触面６ａと面接触する。これにより、打ち込み具４を支柱１に対して上下動させて接触面６ａによる打撃力が加えられたとき、円錐形の支柱頭部が変形したり破損したりすることが防止される。また、当接部材５の接触面６ａが、支柱頭部の先端との衝突によって変形・破損するおそれも少ない。更に、支柱１の円錐面３ａのほぼ全体にわたって打撃力が分配されるため、打撃力を支柱１の軸方向に効率よく安定して作用させることができる。
【００１６】
また、当接部材５の凹部６における接触面６ｂは、支柱１の挿入された状態で、支柱頭部の側面である円筒面３ｂとの間に若干の隙間が設けられるように形成されている。従って、単に打ち込み具４内に支柱１が挿入されている状態では、接触面６ｂは、円筒面３ｂと接触しない。打ち込み時の打撃力の影響で支柱頭部が半径方向に広がった場合、接触面６ｂは円筒面３ｂと接触する。これにより、支柱頭部の側面が確実に支持されるので、打撃力によって支柱１が軸方向に割れることを防止することができる。
【００１７】
尚、打ち込み作業のためには、打ち込み具と支柱とを相対移動させる必要があるため、本実施形態のように、当接部材５の凹部６を支柱１頭部の側面と接触させる場合、接触面６ｂと支柱頭部の側面３ｂとは、互いに対して摺動可能である程度の弱い接触力で接触させる必要がある。
【００１８】
しかし、打ち込み時の支柱頭部の変形・破損を防止するという本願考案の効果は、接触面６ｂを設けなくても得ることができ、また、逃がし部６ｃを設けなくとも得ることができる。即ち、本考案における当接部材５の凹部６は、接触面６ａと逃がし部６ｃのみを有するものであってもよいし、接触面６ａのみを有するものであってもよい。例えば、逃がし部６ｃを形成することなく、接触面６ａが、支柱頭部の円錐面３ａの全体と面接触するように形成されていてもよい。また、接触面６ｂの代わりに、打ち込み時に支柱頭部側面と接触しない、単なる円筒面を設けることもできる。即ち、本考案の打ち込み具では、当接部材の凹部の内面が、その少なくとも一部において、支柱頭部の対応する部分と形状が一致し、これと接触することができればよい。
【００１９】
上述の使用方法から分かるように、本考案の打ち込み具４によれば、ハンマー等の打撃用工具を用いることなく、打ち込み具自体によって、支柱頭部に打撃力を加えることができる。従って、当接部材５の外形は特に限定されない。しかし、ハンマー等で当接部材５を叩くことにより支柱１に打撃力を加えたい場合には、本実施形態のように、当接部材５の上面が平坦であることが好ましい。当接部材の材質は、ハンマー等を用いなくても十分に大きな打撃力を支柱１に加えることができるよう、比較的重量の大きな金属製であることが好ましい。
【００２０】
当接部材５は、凹部６を形成した後、後述する保持部材７と連結される。
［保持部材］
本実施形態に用いられる保持部材７は、当接部材５の凹部６を形成した側の端面に、溶接等により連結される。保持部材７は、管状であり、支柱１の、頭部から延びる所定長さの部分を収容し、保持するための中空部７ａを有している。保持部材７の材質は特に限られないが、当接部材５が金属製である場合には、溶接等の製造方法によっては金属製であることが好ましい。保持部材７が一定の長さを有することによって、使用者は保持部材７を把持して打ち込み具４を上下動させることが容易になり、ハンマー等を用いることなく、打ち込み具４自体によって所望の打撃力を支柱頭部に加えることができる。尚、保持部材７の長さは、打ち込まれる支柱の長さにより様々であるが、例えば、５０〜６０ｃｍである。保持部材７の外形は特に限られないが、使用者が把持し易いように円柱形状であることが好ましい。
【００２１】
尚、本実施形態では、保持部材７は、当接部材５に凹部６を形成した後、当接部材５と連結されているが、保持部材７と当接部材５とは一体的な単一の部材であってもよい。この場合、中空部７ａと凹部６とは連続した穴部として形成される。又、本実施形態では、当接部材５の内壁と保持部材７の管壁とは異なる厚みを有しているが、同一の厚みを有していてもよい。当接部材５と保持部材７の厚みは、それぞれ、打撃力に対して必要な強度や、作業者の作業に適した重量を考慮して決められる。
［第２実施形態］
本考案の第２の実施形態によれば、当接部材５の接触面の形状は、支柱の頭部の表面形状に応じて変更可能にすることができる。即ち、当接部材５を、保持部材７に対して取り外し可能に連結し、単一の保持部材７に対して、接触面の形状の異なる複数の当接部材５を用意し、これら複数の当接部材５を、打ち込まれる支柱の頭部の形状により使い分けてもよい。
【００２２】
第２の実施形態では、例えば、図６に示されるように、当接部材５の凹部６の開口側端部に雌ねじ部１０を設けると共に、保持部材７の端部の外径を小さくし、該端部の外側面に、雌ねじ部１０に対応する雄ねじ部１１を設け、保持部材７の端部を当接部材５の内側にねじ込むことにより、当接部材５と保持部材７とを連結させることが好ましい。これにより、当接部材５は、保持部材７に対して容易に取り付け又は取り外しすることができるので、使用者が容易に当接部材を付け替えることができる。また、図７に示すように、ホロセット１２を用いて連結してもよい。具体的には、当接部材５の凹部６の開口側端部に円筒面を形成し、当接部材５の外側面から円筒面に向かって当接部材５の側壁を貫通する、ホロセット１２を通すための貫通ねじ穴１３を形成する。貫通ねじ穴１３は、例えば、当接部材５の直径方向に対向する複数箇所（例えば４箇所）に設けることができる。そして、保持部材７の端部を当接部材５の円筒面に沿って差し込み、各貫通ねじ穴１３にホロセット１２を、各ホロセット１２の先端が保持部材７の外側面に当接するまでねじ込む。これにより、保持部材７は、複数の当接面によって支持され、当接部材５に固定される。保持部材７の端部の側壁にもねじ穴を設け、ホロセット１２を当接部材５の貫通ねじ穴１３と保持部材のねじ穴の両方にねじ込むようにしてもよい。尚、図６及び図７の例では、当接部材５の凹部６に、接触面６ｂは形成されていない。
［第３実施形態］
本考案の第３の実施形態によれば、図５に示されるように、保持部材７に、該保持部材７を安定して把持するための滑り止め把持部８が設けられている。滑り止め把持部８は、例えば、図５に示されるように、ゴム製の管状部材を保持部材７の側面に取り付けることにより形成することができるが、これには限られず、例えば、保持部材７の側面に刻み目を形成することにより設けることもできる。このような滑り止め把持部８を設けることにより、使用者は、打ち込み時の衝撃に対しても手を滑らせることがなく、安定して打ち込み作業をすることができる。さらに、本実施形態では、保持部材側面に鍔部９を設けている。この鍔部９は、ゴム製管状部材により形成される把持部８の下端に位置している。このような鍔部９は、打ち込み時の衝撃により、ゴム製管状部材の保持部材７に対する位置が下方にずれることを防止する。
【産業上の利用可能性】
【００２３】
本考案の打ち込み具は、園芸用支柱、建設用杭等の棒状部材を地中に打ち込むために用いられる。
【図面の簡単な説明】
【００２４】
【図１】本考案の打ち込み具によって打ち込まれる棒状部材の一例を示す図である。
【図２】本考案の第１実施形態による打ち込み具の縦断面図である。
【図３】図２に示す打ち込み具に支柱が挿入された状態を示す縦断面図である。
【図４】図２に示す打ち込み具の使用状態を示す図である。
【図５】本考案の第３実施形態による打ち込み具の正面図である。
【図６】本考案に用いられる当接部材と保持部材の連結方法の一例を示す断面図である。
【図７】本考案に用いられる当接部材と保持部材の連結方法の他の例を示す断面図である。
【符号の説明】
【００２５】
１    園芸用支柱
２    支柱本体
２ａ  突起
３    キャップ
３ａ  円錐面
３ｂ  円筒面
４    打ち込み具
５    当接部材
６    凹部
６ａ  接触面
６ｂ  接触面
７    保持部材
７ａ  中空部
８    滑り止め把持部
９    鍔部
１０  雌ねじ部
１１  雄ねじ部
１２  ホロセット
１３  貫通ねじ穴
【図１】
0003131758.tif 000003
【図２】
0003131758.tif 000004
【図３】
0003131758.tif 000005
【図４】
0003131758.tif 000006
【図５】
0003131758.tif 000007
【図６】
0003131758.tif 000008
【図７】
0003131758.tif 000009
【手続補正書】
【提出日】平成19年3月6日(2007.3.6)
【手続補正１】
【補正対象書類名】実用新案登録請求の範囲
【補正対象項目名】請求項１
【補正方法】変更
【補正の内容】
【請求項１】
棒状部材を地中に打ち込むための打ち込み具であって、
前記棒状部材の頭部に嵌合する凹部を備えた当接部材と、
前記当接部材に連結され、前記棒状部材の所定長さの部分を収容し保持する、管状の保持部材とを備え、
前記当接部材の前記凹部は、前記頭部に対する接触面を備えており、前記接触面は、前記凹部が前記頭部に嵌合した時、前記接触面が前記頭部と面接触するように、前記頭部の少なくとも一部と表面形状が一致していることを特徴とする、打ち込み具。
【手続補正２】
【補正対象書類名】実用新案登録請求の範囲
【補正対象項目名】請求項４
【補正方法】変更
【補正の内容】
【請求項４】
請求項１に記載の打ち込み具であって、前記保持部材は、前記当接部材に対して取り外し可能に連結されており、且つ、前記接触面の形状が互いに異なる複数の当接部材と連結可能であることを特徴とする、打ち込み具。